(57)【特許請求の範囲】
【請求項１】
第１の掛け布団と第２の掛け布団を備えた掛け布団セットであって、
上記第１の掛け布団の第１の外装地の幅方向一端部の上面に設けられた第１の補強部と、
この第１の補強部に設けられたオスホック或いはメスホックのいずれか一方のホックと、
上記第２の掛け布団の第２の外装地の幅方向一端部の下面に設けられた第２の補強部と、
この第２の補強部に設けられ上記第１の掛け布団の幅方向の一端部の上面に上記第２の掛け布団の幅方向の一端部を重合させた状態で上記第１の補強部の上記一方のホックに着脱可能に連結する他方のホックを具備し、
上記第１の補強部と上記第２の補強部は、上記第１の掛け布団と上記第２の掛け布団の外装地の幅方向一端部の端縁に設けられた端縁補強部と、その端縁よりも幅方向内方に設けられた内方補強部とを有し、
上記第１の補強部と第２の補強部の上記端縁補強部と上記内方補強部には、上記幅方向と交差する上下方向に沿ってそれぞれ所定間隔で複数の上記一方のホックと他方のホックが設けられていて、
上記端縁補強部は、上記各外装地の表地と裏地との端部を内方へ折り返してその折り返し部分を重ね合わせた４枚構造であって、その４枚構造となった布地を上記ホックを取付けるために他の部分と隔別するよう縫合形成されていて、
上記内方補強部は、上記各外装地の表地或いは裏地の一方を掛け布団の上下方向全長にわたって弛ませるとともに、弛ませた布地の内部に補強材を入れた弛み部を有し、この弛み部に上記ホックを取付けるための部分を他の部分と隔別して縫合形成されていることを特徴とする掛け布団セット。
【請求項２】
上記第１の掛け布団と第２の掛け布団は、幅方向及び上下方向に対して内部に充填物が充填された複数の収容空間部に隔別されていて、
連結されたときに重合する上記第１の掛け布団と第２の掛け布団の幅方向一端部に位置する上記収容空間部には、他の収容空間部に比べて少ない量の充填物が充填されていることを特徴とする請求項１記載の掛け布団セット。
【請求項３】
上記第１の掛け布団と第２の掛け布団の収容空間部は、上下方向の上端を上記外装地の表地に縫合し、下端を裏地に縫合した仕切り布によって区画形成されていて、
上記内方補強部の上記弛み部に設けられる上記補強材は、この弛み部に挿入された上記仕切り布の端部であることを特徴とする請求項２記載の掛け布団セット。
【発明の詳細な説明】
【技術分野】
【０００１】
この発明は２枚の掛け布団を連結して大きなサイズの掛け布団としても利用することができる掛け布団セットに関する。
【背景技術】
【０００２】
たとえば、ベッド装置にはシングルサイズ、ダブルサイズ或いはクイーンサイズなどがあり、最近ではさらに大きなサイズの要求が多く、その場合、必要に応じて分離して使用できるようにシングルサイズのベッド装置を２台購入し、並べてキングサイズとして利用することがある。
【０００３】
他のサイズのベッド装置にはそれぞれ対応したサイズの掛け布団があるが、シングルサイズのベッド装置を並べてキングサイズのベッド装置として利用する場合は、シングルサイズの掛け布団を２枚購入して利用することになる。しかしながら、２枚の掛け布団を利用するよりも、キングサイズの掛け布団を１枚利用した方がよい場合がある。
【０００４】
そこで、シングルサイズの２枚の掛け布団を必要に応じてキングサイズの１枚の掛け布団として利用することができる掛け布団セットが要望されている。このような掛け布団セットとしては、特許文献１に示されているように、シングルサイズの２枚の掛け布団を、キングサイズに形成された掛け布団カバー内に収容して利用するということが行なわれている。
【先行技術文献】
【特許文献】
【０００５】
【特許文献１】特開２００２−１７７１１１号公報
【発明の概要】
【発明が解決しようとする課題】
【０００６】
ところで、キングサイズの掛け布団カバーの内部に、シングルサイズの２枚の掛け布団を並べて収容する場合、隣り合う掛け布団の端部間に隙間が生じると、その隙間によって保温性、外観或いは利用者に与える感触などが低下するから、それを防止するために２枚の掛け布団の端部を重ねて上記掛け布団カバー内に収容するようにしている。
【０００７】
しかしながら、上記掛け布団カバー内に２枚の掛け布団の端部を重ねて収容しても、使用中に内部の布団がずれ動くため、２枚の掛け布団の端部間に隙間が生じてしまうことがあるから、そのような場合には隙間部分の保温効果や感触などが低下するということがある。
【０００８】
この発明は、２枚の掛け布団を１枚の掛け布団の大きさにして使用する場合に、これらの布団の端部間に隙間が生じることがないようにした掛け布団セットを提供することにある。
【課題を解決するための手段】
【０００９】
この発明は、第１の掛け布団と第２の掛け布団を備えた掛け布団セットであって、
上記第１の掛け布団の第１の外装地の幅方向一端部の上面に設けられた第１の補強部と、
この第１の補強部に設けられたオスホック或いはメスホックのいずれか一方のホックと、
上記第２の掛け布団の第２の外装地の幅方向一端部の下面に設けられた第２の補強部と、
この第２の補強部に設けられ上記第１の掛け布団の幅方向の一端部の上面に上記第２の掛け布団の幅方向の一端部を重合させた状態で上記第１の補強部の上記一方のホックに着脱可能に連結する他方のホックを具備し、
上記第１の補強部と上記第２の補強部は、上記第１の掛け布団と上記第２の掛け布団の外装地の幅方向一端部の端縁に設けられた端縁補強部と、その端縁よりも幅方向内方に設けられた内方補強部とを有し、
上記第１の補強部と第２の補強部の上記端縁補強部と上記内方補強部には、上記幅方向と交差する上下方向に沿ってそれぞれ所定間隔で複数の上記一方のホックと他方のホックが設けられていて、
上記端縁補強部は、上記各外装地の表地と裏地との端部を内方へ折り返してその折り返し部分を重ね合わせた４枚構造であって、その４枚構造となった布地を上記ホックを取付けるために他の部分と隔別するよう縫合形成されていて、
上記内方補強部は、上記各外装地の表地或いは裏地の一方を掛け布団の上下方向全長にわたって弛ませるとともに、弛ませた布地の内部に補強材を入れた弛み部を有し、この弛み部に上記ホックを取付けるための部分を他の部分と隔別して縫合形成されていることを特徴とする掛け布団セットにある。
【００１２】
上記第１の掛け布団と第２の掛け布団は、幅方向及び上下方向に対して内部に充填物が充填された複数の収容空間部に隔別されていて、
連結されたときに重合する上記第１の掛け布団と第２の掛け布団の幅方向一端部に位置する上記収容空間部には、他の収容空間部に比べて少ない量の充填物が充填されていることが好ましい。
【００１３】
上記第１の掛け布団と第２の掛け布団の収容空間部は、上下方向の上端を上記外装地の表地に縫合し、下端を裏地に縫合した仕切り布によって区画形成されていて、
上記内方補強部の上記弛み部に設けられる上記補強材は、この弛み部に挿入された上記仕切り布の端部であることが好ましい。
【発明の効果】
【００１４】
この発明によれば、第１の掛け布団の第１の外装地の幅方向一端部の上面に、第２の掛け布団の第２の外装地の幅方向一端部の下面を重ねた状態でホックによって着脱可能に連結することができる。
【００１５】
そのため、第１の掛け布団と第２の掛け布団との連結状態が使用中に損なわれて一対の掛け布団の端部間に隙間が生じることが防止されるから、２枚の掛け布団を連結してサイズの大きな１つの掛け布団として良好に使用することができる。
【００１６】
しかも各掛け布団には補強部を設け、この補強部にホックを設けるようにしたから、ホックに加わる力によって各掛け布団の外装地が損傷するのを防止することができる。
【図面の簡単な説明】
【００１７】
【図１】この発明の一実施の形態を示す掛け布団セットの使用状態の斜視図。
【図２】連結された第１の掛け布団と第２の掛け布団が収容される布団カバーの平面図。
【図３】連結された第１の掛け布団と第２の掛け布団の平面図。
【図４】図３に示す連結された第１、第２の掛け布団の側面図。
【図５】第１の掛け布団の平面図。
【図６】第２の掛け布団の平面図。
【図７】各掛け布団の端縁補強部のホックが設けられた部分の平面図。
【図８】図７のＺ−Ｚ線に沿う断面図。
【図９】（ａ）は第１の掛け布団の弛み部が設けられた部分の拡大断面図、（ｂ）は第２の掛け布団の弛み部が設けられた部分の拡大断面図。
【図１０】第１の掛け布団と第２の掛け布団のそれぞれホックが設けられた一端部を連結する前の状態を示す分解図。
【発明を実施するための形態】
【００１８】
以下、この発明の一実施の形態を図面を参照しながら説明する。
【００１９】
図１は２つのシングルサイズのベッド装置１Ａ，１Ｂを並べてキングサイズのベッド装置として使用している状態を示す斜視図であって、その場合、各シングルサイズのベッド装置１Ａ，１Ｂに用いられる、シングルサイズの第１の掛け布団２Ａと、第２の掛け布団２Ｂ（図３に示す）はこれらの一端部が後述するように連結されてキングサイズにされて図２に示す布団カバー４に収容されている。なお、図１は布団カバー４に収容されていない状態の第１の掛け布団２Ａと第２の掛け布団２Ｂを示している。
【００２０】
図２は上記布団カバー４を示す平面図であって、この布団カバー４は一端部が連結された第１の掛け布団２Ａと第２の掛け布団２Ｂとがなす幅寸法と上下方向において、ほぼ同じ寸法を有する袋状に形成されていて、その上辺４ａを除く３辺がファスナ５によって開閉可能になっている。
【００２１】
そして、上記布団カバー４内には、ファスナ５によって上記布団カバー４の三辺を開き、内部に互いの一端部が連結された第１、第２の掛け布団２Ａ，２Ｂを収容してから、開かれた三辺がファスナ５によって閉じられる。つまり、布団カバー４は三辺が開閉可能であるため、連結された第１、第２の掛け布団２Ａ，２Ｂの出し入れを容易に行なうことができるようになっている。
【００２２】
なお、布団カバー４に収容された第１、第２の掛け布団２Ａ，２Ｂは、布団カバー４の内面に設けられた連結紐を、第１、第２の掛け布団２Ａ，２Ｂの周縁部に設けられたループ部（ともに図示せず）に連結することで、布団カバー４でずれ動くことがないよう保持されている。
【００２３】
図３は連結された第１の掛け布団２Ａと第２の掛け布団２Ｂの平面図で、図４は側面図である。図５は第１の掛け布団２Ａの平面図であり、図６は第２の掛け布団２Ｂの平面図である。
【００２４】
第１の掛け布団２Ａは布地を袋状に縫製した第１の外装地７Ａを有し、第２の掛け布団２Ｂは布地を袋状に縫製した第２の外装地７Ｂを有する。袋状に縫製された第１の外装地７Ａと第２の外装地７Ｂの内部は、図９（ａ），（ｂ）に示す帯状の仕切り布８によって複数の収容空間部９、この実施の形態では図５と図６に示すように幅方向と上下方向にそれぞれ４つの収容空間部９に隔別形成されている。
【００２５】
すなわち、上記第１の外装地７Ａの仕切り布８は、図９（ａ）に示すように上下方向の上端部を上記外装地７Ａの表地１１ａに後述するように縫合し、下端部を折り曲げて裏地１１ｂに縫合している。上記第２の外装地７Ｂの仕切り布８は、図９（ｂ）に示すように上下方向の上端部を折り曲げて上記外装地７Ａの表地１１ａに縫合し、下端部を裏地１１ｂに後述するように縫合している。それによって、上記各外装地７Ａ，７Ｂの内部に収容空間部９が隔別形成されている。
【００２６】
上記第１の掛け布団２Ａと第２の掛け布団２Ｂとの収容空間部９にはそれぞれ充填物である羽毛１０が収容されている。図５と図６に示すように、各掛け布団２Ａ，２Ｂの幅方向両端に位置するそれぞれ２列の収容空間部９に充填される羽毛の量は、幅方向中央部に位置する２列に充填される羽毛１０の量の約半分となっている。それによって、各掛け布団２Ａ，２Ｂの幅方向両端部の２列の収容空間部９の厚さは、中央部の２列の収容空間部９の厚さの約半分となっている。
【００２７】
図５に示すように、上記第１の掛け布団２Ａの幅方向一端部の上面には第１の補強部１２が形成されている。この第１の補強部１２は、上記第１の掛け布団２Ａの幅方向の一端縁に形成された５つの第１の端縁補強部１２ａと、この第１の端縁補強部１２ａよりも第１の掛け布団２Ａの幅寸法の約４分の１の幅寸法分だけ内方の箇所に上下方向全長にわたって形成された第１の内方補強部１２ｂからなる。
【００２８】
上記第１の端縁補強部１２ａは、図８に示すように上記第１の掛け布団２Ａの第１の外装地７Ａの表地１１ａと裏地１１ｂの端部を内面側に折り曲げて重ね合わせ、重ね合わされた４枚の布地の上下方向の上下端部と中途部の合計三箇所を、図７に示すように三角形状に縫合して他の部分と隔別して形成されている。
【００２９】
そして、５つの端縁補強部１２ａにはそれぞれオスホックとメスホックのうちの一方、この実施の形態ではオスホック１４が取付けられている。
【００３０】
上記第１の内方補強部１２ｂは、図５と図９（ａ）に示すように上記第１の掛け布団２Ａの第１の外装地７Ａの表地１１ａの一端縁から第１の掛け布団２Ａの幅寸法の約４分の１の幅寸法分だけ内方の箇所で、上記表地１１ａを上下方向全長にわたって弛ませて外面側に所定の寸法で突出させた弛み部１５を有する。
【００３１】
上記弛み部１５の内部には、図９に示すように上記第１の外装地７Ａの内部を収容空間部９に区画した上記仕切り布８の上端部が全長にわたって挿入されて一体的に縫合されている。つまり、上記仕切り布８の上端部は上記弛み部１５を補強する補強材として使用されている。
【００３２】
さらに、上記弛み部１５と上記仕切り布８の上端部を一体的に縫合する前に、上記弛み部１５の上下方向両端部の２箇所と、中途部の３箇所の合計５箇所には、上記弛み部１５をさらに補強する補強材としてのフェルトなどを所定長さに切断したテープ片１６（図９（ａ）に示す）が設けられている。そして、テープ片１６が設けられた上記弛み部１５の長手方向の５箇所にはそれぞれオスホック１４が取付けられている。
【００３３】
つまり、第１の掛け布団２Ａの長手方向の一端部の上面には、その一端部の端縁と、端縁よりも内方の部分との２列に、上下方向に所定の間隔で合計１０個のオスホックが設けられている。
【００３４】
図６に示すように、上記第２の掛け布団２Ｂの幅方向一端部の下面には第２の補強部１７が形成されている。この第２の補強部１７は、上記第２の掛け布団２Ｂの幅方向一端縁の上下端部及び中途部の３箇所に形成された合計で５つの第２の端縁補強部１７ａと、この第２の端縁補強部１７ａよりも第２の掛け布団２Ｂの幅寸法の約４分の１の幅寸法分だけ内方の箇所に上下方向の全長にわたって形成された第２の内方補強部１７ｂからなる。
【００３５】
上記第２の端縁補強部１７ａは上記第１の端縁補強部１２ａと同様、図７と図８に示すように第２の外装地７Ｂの端部を内方へ折り曲げて４枚重ねとし、その部分の上下端部及び中途部の３箇所を他の部分と隔別するよう三角形状に縫合して形成されている。そして、合計で５つの第２の端縁補強部１７ａにはオスホック１４に着脱可能に連結されるメスホック１９が取付けられている。
【００３６】
なお、図７と図８において、括弧で示す番号が第２の掛け布団２Ｂに適用した場合の番号である。
【００３７】
上記第２の内方補強部１７ｂは図９（ｂ）に示すように、第２の外装地７Ｂの裏地１１ｂを上下方向全長にわたって弛ませた弛み部１５ａを形成し、この弛み部１５ａに上端を屈曲させて表地１１ａに縫合した仕切り布８の下端部が挿入されている。さらに、上記弛み部１５ａには、上下端部及び中途部の三箇所の、合計５箇所にテープ片１６が挿入され、テープ片１６が設けられた５箇所の部分にオスホックに着脱可能に連結されるメスホック１９が取付けられている。
【００３８】
そして、第１の掛け布団２Ａと第２の掛け布団２Ｂは、図１０に示すように第１の掛け布団２Ａの一端部の上面に第２の掛け布団２Ｂの一端部下面を重ね、第１の掛け布団２Ａの第１の補強部１２の第１の端縁補強部１２ａと第１の内部補強部１２ｂにそれぞれ設けられたオスホックに、第２の掛け布団２Ｂの一端部の下面に設けられた第２の補強部１７の第２の端縁補強部１７ａと第２の内部補強部１７ｂにそれぞれ設けられたメスホック１９を嵌め合わせることで、着脱可能に連結される。
【００３９】
そして、着脱可能に連結された第１の掛け布団２Ａと第２の掛け布団２Ｂは、上記布団カバー４に収容される。
【００４０】
このように構成された掛け布団セットによれば、布団カバー４に収容される第１の掛け布団２Ａと第２の掛け布団２Ｂは、図１０に示すように第１の掛け布団２Ａの幅方向一端部の上面に２列で設けられたオスホックに、第２の掛け布団２Ｂの幅方向一端部の下面に、同じく２列で設けられたメスホック１９を嵌め合わせて連結される。
【００４１】
そのため、使用中に、布団カバー４内の第１の掛け布団２Ａと第２の掛け布団２Ｂの連結部分に隙間ができるようなことがない。
【００４２】
しかも、第１の掛け布団２Ａと第２の掛け布団２Ｂの連結部分、つまり各掛け布団２Ａ，２Ｂの幅方向一端部の収容空間部９に充填された羽毛１０の量は、中央部の収容空間部９に充填された羽毛１０の量の約半分である。
【００４３】
そのため、第１の掛け布団２Ａと第２の掛け布団２Ｂの連結された重合した部分の厚さ寸法は中央部分の厚さ寸法とほぼ同じになり、重合部分が他の部分に比べて極端に厚くなるということがない。つまり、連結された第１の掛け布団２Ａと第２の掛け布団２Ｂは両端部（各掛け布団２Ａ，２Ｂの幅方向他端）を除く部分の厚さが全体にわたってほぼ均一であるから、保温性や利用者が受ける感触なども均一となる。
【００４４】
第１の掛け布団２Ａの一端部の上面には、第１の端縁補強部１２ａと、第１の内方補強部１２ｂからなる第１の補強部１２を形成し、この第１の補強部１２にオスホックを２列で設けるようにした。
【００４５】
同様に、第２の掛け布団２Ｂの一端部の下面には、第２の端縁補強部１７ａと、第２の内方補強部１７ｂからなる第２の補強部１７を形成し、この第２の補強部１７にメスホック１９を２列で設けるようにした。
【００４６】
各補強部１２ａ，１２ｂ，１７ａ，１７ｂは、各掛け布団２Ａ，２Ｂの外装地７Ａ，７Ｂを十分に補強する構造となっている。したがって、各補強部１２ａ，１２ｂ，１７ａ，１７ｂに設けられたオスホックやメスホック１９に比較的大きな引張り力などの外力が加わっても、その外力によって各掛け布団２Ａ，２Ｂの外装地７Ａ，７Ｂが破れるなどして損傷するのを防止することができる。
【００４７】
とくに、各掛け布団２Ａ，２Ｂが収容空間部９に羽毛１０が充填された羽毛布団の場合、これら掛け布団２Ａ，２Ｂの外装地７Ａ，７Ｂがわずかでも破れると、羽毛１０が外部に出てくるということがある。
【００４８】
しかしながら、各外装地７Ａ，７Ｂのオスホックやメスホック１９が取付けられる部分を、上述したように第１、第２の補強部１２，１７としたことで、各外装地７Ａ，７Ｂが損傷して羽毛１０が収容空間部９から外部に出てくるのを確実に防止することができるということがある。
【００４９】
なお、上記一実施の形態では第１、第２の掛け布団の幅方向両端部の収容空間部に充填される充填物としての羽毛の量を、幅方向中央部の収容空間部に充填される羽毛の量の約半分としたが、第１、第２の掛け布団の連結される一方の端部の収容空間部に充填される羽毛の量だけを、他の収容空間部に充填される羽毛の量の半分としてもよい。
【００５０】
そのようにすれば、第１の掛け布団と第２の掛け布団の幅方向一端部を重ねて連結したとき、掛け布団セットは幅方向全体の厚さを均一にすることができる。
【００５１】
また、充填物としては羽毛だけに限定されず、綿などの他のものであってもよい。
【００５２】
また、第１の掛け布団の幅方向一端部の上面にメスホックを設け、第２の掛け布団の幅方向一端部の下面に押すホックを設けるようにしてもよい。
【符号の説明】
【００５３】
２Ａ…第１の掛け布団、２Ｂ…第２の掛け布団、４…布団カバー、７Ａ，７Ｂ…外装地、８…仕切り布（補強材）、９…収容空間部、１０…羽毛（充填物）、１２…第１の補強部、…オスホック、１５…弛み部、１７…第２の補強部、１９…メスホック。
【図１】
0005555557.tif 000002
【図２】
0005555557.tif 000003
【図３】
0005555557.tif 000004
【図４】
0005555557.tif 000005
【図５】
0005555557.tif 000006
【図６】
0005555557.tif 000007
【図７】
0005555557.tif 000008
【図８】
0005555557.tif 000009
【図９】
0005555557.tif 000010
【図１０】
0005555557.tif 000011